(57)【特許請求の範囲】
【請求項１】
装置であって、
使用者の右まぶたの開閉状態と左まぶたの開閉状態とを含むまぶた状態を、複数の所定のタイミングにおいて検出する検出部と、
前記検出部が検出した前記まぶた状態に応じた指示を行う制御部と、を備え、
前記制御部は、
前記検出部が検出した第１のタイミングにおける前記まぶた状態である第１のまぶた状態と、第２のタイミングにおける前記まぶた状態である第２のまぶた状態と、が異なる場合についてのみ、前記第１のまぶた状態と前記第２のまぶた状態との組み合わせより規定される各パターンを所定の規則に従って入力情報に変換し、前記入力情報に応じた所定の動作を行い、
前記第１のまぶた状態と、前記第２のまぶた状態と、が同じ場合の前記まぶた状態の組み合わせに対応する所定の動作を行わない、装置。
【請求項２】
頭部装着型表示装置であって、
画像データーに基づいて画像光を生成し射出する画像光生成部と、前記画像光を使用者の眼に導く導光部と、を有し、使用者に虚像を視認させる画像表示部と、
前記画像表示部と接続された請求項１に記載の装置と、備え、
前記制御部は、前記画像表示部に前記画像データーを送信すると共に、前記画像表示部による画像表示を制御し、前記検出部が検出した使用者のまぶたの状態に応じて、消費電力の異なる複数の動作モードを切り替える、頭部装着型表示装置。
【請求項３】
請求項２に記載の頭部装着型表示装置であって、
前記画像光生成部は、光を射出する光源と、画像データーに基づいて前記光源から射出された前記光を画像を表す画像光に変換する画像生成部と、を含み、
前記制御部は、より消費電力の小さい動作モードへの移行である省電力移行時に、前記光源から射出される前記光を低減する、頭部装着型表示装置。
【請求項４】
請求項２に記載の頭部装着型表示装置であって、
前記制御部は、複数の機能を実現する機能部を含むと共に、より消費電力の小さい動作モードへの移行である省電力移行時に、前記複数の機能を実現する機能部の一部の動作を停止する、頭部装着型表示装置。
【請求項５】
請求項４に記載の頭部装着型表示装置であって、
前記制御部は、さらに操作部を有すると共に、前記省電力移行後に、前記操作部が特定の操作を受け付けたとき、停止している前記機能部の動作を再び開始する、頭部装着型表示装置。
【請求項６】
請求項１に記載の装置であって、
前記制御部は、前記第１のまぶた状態と、前記第２のまぶた状態と、が同じ場合には、前記第１のまぶた状態と前記第２のまぶた状態との組み合わせにより既定されるパターンに対応する入力情報を設定しない、装置。
【請求項７】
請求項１または請求項６に記載の装置であって、
前記制御部は、複数の前記まぶた状態の組み合わせにおいて、前記第１のまぶた状態が同じであり、前記第２のまぶた状態における一方のまぶたの開閉状態のみが異なる場合には、前記複数のまぶた状態の組み合わせの内の１つの前記まぶた状態の組み合わせについてのみ、所定の動作を設定する、装置。
【請求項８】
請求項６または請求項７に記載の装置であって、
前記制御部は、複数の前記まぶた状態の組み合わせに対応して設定する所定の動作の内、一部の所定の動作を前記装置が実行する複数のプログラムに共通する機能の動作として設定し、他の一部の所定の動作を前記装置が実行する複数のプログラムに応じて変化する機能の動作として設定する、装置。
【請求項９】
請求項６ないし請求項８のいずれかに記載の装置であって、さらに、
音声を出力する音声出力部を備え、
前記制御部は、前記第１のタイミングと前記第２のタイミングとの少なくとも一方を、前記音声出力部が出力する音声のタイミングによって使用者に報知する、装置。
【請求項１０】
請求項６ないし請求項９のいずれかに記載の装置であって、
前記制御部は、前記入力情報に応じた入力データーを入力する、装置。
【請求項１１】
請求項６ないし請求項１０のいずれかに記載の装置であって、さらに、
使用者の操作を受け付ける操作部を備え、
前記制御部は、前記各パターンと前記操作との組み合わせを前記所定の規則に従って前記入力情報に変換する、装置。
【請求項１２】
請求項１１に記載の装置であって、
前記制御部は、前記操作部が所定の操作を受け付けたとき、または、前記検出部が所定の期間内に所定の回数の前記まぶた状態の変化を検出したときを、前記第１のタイミングの開始として設定する、装置。
【請求項１３】
請求項６ないし請求項１２のいずれかに記載の装置であって、
前記検出部は、前記まぶたの状態の内、まぶたを閉じている時間が所定の値よりも短い場合には、まぶたが開いている状態と解釈する、装置。
【請求項１４】
請求項６ないし請求項１３のいずれかに記載の装置であって、さらに、
使用者の頭部の動きを感知する感知部を備え、
前記制御部は、前記各パターンと前記頭部の動きとの組み合わせを前記所定の規則に従って前記入力情報に変換する、装置。
【請求項１５】
頭部装着型表示装置であって、
画像データーに基づいて画像光を生成し射出する画像光生成部と、前記画像光を使用者の眼に導く導光部と、を有し、使用者に虚像を視認させる画像表示部と、
前記画像表示部と接続され、前記画像表示部に前記画像データーを送信すると共に、前記画像表示部による画像表示を制御する請求項６ないし請求項１４のいずれかに記載の装置と、を備える、頭部装着型表示装置。
【請求項１６】
請求項１５に記載の頭部装着型表示装置であって、
前記制御部は、前記第１のタイミングと前記第２のタイミングとの少なくとも一方を、前記画像表示部による画像表示によって使用者に報知する、頭部装着型表示装置。
【請求項１７】
装置の制御方法であって、
使用者の右まぶたの開閉状態と左まぶたの開閉状態とを含むまぶた状態を、複数の所定のタイミングにおいて検出する工程と、
前記検出された前記まぶたの状態に応じた前記装置の指示を行う制御工程と、を備え、
前記制御工程は、
検出された第１のタイミングにおける前記まぶた状態である第１のまぶた状態と、第２のタイミングにおける前記まぶた状態である第２のまぶた状態と、が異なる場合に、前記第１のまぶた状態と前記第２のまぶた状態との組み合わせより規定される各パターンを所定の規則に従って入力情報に変換し、前記入力情報に応じた所定の動作を行い、
前記第１のまぶた状態と、前記第２のまぶた状態と、が同じ場合の前記まぶた状態の組み合わせに対応する所定の動作を行わない工程を含む、制御方法。
【請求項１８】
画像データーに基づいて画像光を生成し射出する画像光生成部と、前記画像光を使用者の眼に導く導光部と、を有し、使用者に虚像を視認させる画像表示部を有する頭部装着型表示装置の制御方法であって、
前記画像表示部に前記画像データーを送信すると共に、前記画像表示部による画像表示を制御する制御工程と、
使用者の右まぶたの開閉状態と左まぶたの開閉状態とを含むまぶた状態を、複数の所定のタイミングにおいて検出する検出工程と、を備え、
前記制御工程は、
前記検出工程で検出された前記まぶたの状態に応じて、消費電力の異なる複数の動作モードを切り替える工程と、
検出された第１のタイミングにおける前記まぶた状態である第１のまぶた状態と、第２のタイミングにおける前記まぶた状態である第２のまぶた状態と、が異なる場合に、前記第１のまぶた状態と前記第２のまぶた状態との組み合わせより規定される各パターンを所定の規則に従って入力情報に変換し、前記入力情報に応じた所定の動作を行い、
前記第１のまぶた状態と、前記第２のまぶた状態と、が同じ場合の前記まぶた状態の組み合わせに対応する所定の動作を行わない工程と、を含む、頭部装着型表示装置の制御方法。
【発明の詳細な説明】
【技術分野】
【０００１】
本発明は、装置、頭部装着型表示装置、装置の制御方法および頭部装着型表示装置の制御方法に関する。
【背景技術】
【０００２】
頭部に装着する表示装置である頭部装着型表示装置（ヘッドマウントディスプレイ（Head Mounted Display））が知られている。頭部装着型表示装置は、例えば、液晶ディスプレイおよび光源を利用して画像を表す画像光を生成し、生成された画像光を投写光学系や導光板を利用して使用者の眼に導くことにより、使用者に虚像を視認させる。
【０００３】
頭部装着型表示装置において、使用者は生成された虚像を視認する以外にもマウスやキーボード等の入力装置を視認できるほうが好ましいため、使用者の手の位置を感知できるセンサー（例えば、赤外線センサー等）を設け、使用者の手の位置に応じて視認させる虚像の位置を変更する技術が知られている（例えば、特許文献１参照）。
【０００４】
また、頭部装着型表示装置においては、消費電力を小さくすることが求められる。特に、携帯性を高めるためにバッテリーで駆動される頭部装着型表示装置では、使用可能時間を長くするために、消費電力を小さくすることがより求められる。この点に関して、消費電力を小さくするために、発光光源を必要としない頭部装着型表示装置が知られている（例えば、特許文献２参照）。
【先行技術文献】
【特許文献】
【０００５】
【特許文献１】特開平６−３１４３３１号公報
【特許文献２】特開平７−２０９６００号公報
【特許文献３】特開２００９−１９２５８３号公報
【特許文献４】特開２００６−１０５８８９号公報
【特許文献５】特開２０００−３５３０４６号公報
【発明の概要】
【発明が解決しようとする課題】
【０００６】
しかし、上記従来の頭部装着型表示装置では、使用者は操作の度に手を使う必要があり、また、表示が不要の際には予めボタン操作が必要となるため、利便性の点で向上の余地があった。なお、このような問題は、頭部装着型表示装置に限らず、装置全般に共通する問題であった。
【０００７】
また、上記従来の頭部装着型表示装置では、発光光源がないため、外来光が十分にない環境では、きれいな映像を見ることができないという問題があった。
【０００８】
本発明は、上述の課題を解決するためになされたものであり、使用者が手を使うことなく装置を操作できる技術を提供することを第１の課題とする。また、頭部装着型表示装置の表示画像の質を落とすことなく消費電力を抑える技術を提供することを第２の課題とする。
【課題を解決するための手段】
【０００９】
上記課題の少なくとも一部を解決するために、本発明は、以下の形態または適用例として実現することが可能である。本発明の一形態は、装置であって；使用者の右まぶたの開閉状態と左まぶたの開閉状態とを含むまぶた状態を、複数の所定のタイミングにおいて検出する検出部と；前記検出部が検出した前記まぶた状態に応じた指示を行う制御部と、を備え；前記制御部は；前記検出部が検出した第１のタイミングにおける前記まぶた状態である第１のまぶた状態と、第２のタイミングにおける前記まぶた状態である第２のまぶた状態と、が異なる場合についてのみ、前記第１のまぶた状態と前記第２のまぶた状態との組み合わせより規定される各パターンを所定の規則に従って入力情報に変換し、前記入力情報に応じた所定の動作を行い；前記第１のまぶた状態と、前記第２のまぶた状態と、が同じ場合の前記まぶた状態の組み合わせに対応する所定の動作を行わない。このような形態であれば、検出部がまぶたの状態のパターンを検出して、制御部がパターンに割り当てられた指示を所定の規則に従って入力情報に変換するので、パターンに割り当てられた複数の指示を実行することができ、利便性を向上させることができる。その他、本発明は、以下のような形態として実現できる。
【００１０】
［適用例１］装置であって、
使用者のまぶたの状態を検出する検出部と、
前記検出部が検出した使用者のまぶたの状態に応じた指示を行う制御部と、を備える、装置。
【００１１】
この装置では、検出部は使用者のまぶたの状態を検出して、制御部がまぶたの状態に応じた指示を行うので、使用者は手を使うことなく操作が可能となり、操作性を向上させることができる。
【００１２】
［適用例２］頭部装着型表示装置であって、
画像データーに基づいて画像光を生成し射出する画像光生成部と、前記画像光を使用者の眼に導く導光部と、を有し、使用者に虚像を視認させる画像表示部と、
前記画像表示部と接続された適用例１に記載の装置と、備え、
前記制御部は、前記画像表示部に前記画像データーを送信すると共に、前記画像表示部による画像表示を制御し、前記検出部が検出した使用者のまぶたの状態に応じて、消費電力の異なる複数の動作モードを切り替える、頭部装着型表示装置。
【００１３】
この頭部装着型表示装置では、検出部は、使用者のまぶたの状態を検出する。制御部は、検出したまぶたの状態により、消費電力の異なる複数の動作モードへと切り替える。そのため、この頭部装着型表示装置は、使用者のまぶたの状態に応じた適切な動作モードで動作することにより、消費電力を小さくすることができる。
【００１４】
［適用例３］適用例２に記載の頭部装着型表示装置であって、
前記制御部は、前記検出部が使用者のまぶたが所定の時間閉じ続けているのを検出したとき、より消費電力の小さい動作モードへの移行である省電力移行を行う、頭部装着型表示装置。
【００１５】
使用者のまぶたが所定の時間閉じている場合には、使用者は画像を見ていない可能性が高いと考えられる。この頭部装着型表示装置では、制御部は、検出部が使用者のまぶたが所定の時間閉じ続けているのを検出したときに、より消費電力の小さい動作モードへの移行である省電力移行を行うため、使用者の利便性の低下を抑制しつつ、従来よりも消費電力を小さくすることができる。
【００１６】
［適用例４］適用例３に記載の頭部装着型表示装置であって、
前記制御部は、前記省電力移行の後、前記検出部が使用者のまぶたが所定の時間開いたのを検出したとき、より消費電力の大きい動作モードへの移行である復帰移行を行う、頭部装着型表示装置。
【００１７】
使用者のまぶたが所定の時間開いている場合には、使用者は画像を見ている可能性が高いと考えられる。この頭部装着型表示装置では、制御部は、省電力移行の後、検出部が使用者のまぶたが所定の時間開いたのを検出したとき、より消費電力の大きい動作モードへの移行である復帰移行を行うため、復帰移行を速やかに行うことができる。
【００１８】
［適用例５］適用例３または適用例４に記載の頭部装着型表示装置であって、
前記画像光生成部は、光を射出する光源と、画像データーに基づいて前記光源から射出された前記光を画像を表す画像光にする画像生成部と、を含み、
前記制御部は、前記省電力移行時に、前記光源から射出される光を低減する、頭部装着型表示装置。
【００１９】
この頭部装着型表示装置では、制御部は、省電力移行時に、光源から射出される光を低減するため、消費電力を小さくすることができる。
【００２０】
［適用例６］適用例５に記載の頭部装着型表示装置であって、
前記光源は、右眼用光源と左眼用光源とを含み、
前記制御部は、前記省電力移行時に、前記右眼用光源と前記左眼用光源との一方から射出される前記光を低減する、頭部装着型表示装置。
【００２１】
この頭部装着型表示装置では、制御部は、省電力移行時に、右眼用光源と左眼用光源との一方から射出される光を低減するため、柔軟な消費電力の低減を実現することができる。
【００２２】
［適用例７］適用例３または適用例４に記載の頭部装着型表示装置であって、
前記画像光生成部は、光を射出する光源と、画像データーに基づいて前記光源から射出された前記光を画像を表す画像光に変換する画像生成部と、を含み、
前記制御部は、前記省電力移行時に、前記画像生成部の動作を停止する、頭部装着型表示装置。
【００２３】
この頭部装着型表示装置では、制御部は、省電力移行時に、画像生成部の動作を停止するため、消費電力を小さくすることができる。
【００２４】
［適用例８］適用例４に記載の頭部装着型表示装置であって、
前記画像光生成部は、光を射出する光源と、画像データーに基づいて前記光源から射出された前記光を画像を表す画像光に変換する画像生成部と、を含み、
前記制御部は、前記省電力移行時に、前記画像生成部の動作を停止し、前記復帰移行時に、前記画像生成部の動作を再び開始する、頭部装着型表示装置。
【００２５】
この頭部装着型表示装置では、制御部は、復帰移行時に、画像生成部の動作を再び開始するため、復帰移行を速やかに行うことができる。
【００２６】
［適用例９］適用例３または適用例４に記載の頭部装着型表示装置であって、
前記制御部は、複数の機能を実現する機能部を含むと共に、前記省電力移行時に、前記複数の機能を実現する機能部の一部の動作を停止する、頭部装着型表示装置。
【００２７】
この頭部装着型表示装置では、制御部は、省電力移行時に、制御部の複数の機能を実現する機能部の一部の動作を停止するため、消費電力を小さくすることができる。
【００２８】
［適用例１０］適用例９に記載の頭部装着型表示装置であって、
前記制御部は、さらに操作部を有すると共に、前記省電力移行後に、前記操作部が特定の操作を受け付けたとき、停止している前記機能部の動作を再び開始する、頭部装着型表示装置。
【００２９】
この頭部装着型表示装置では、制御部は、省電力移行後に、操作部が特定の操作を受け付けたとき、停止している機能部の動作を再び開始するため、検出部が使用者のまぶたの状態を検出しなくても、の復帰移行を速やかに行うことができる。
【００３０】
［適用例１１］適用例１０に記載の頭部装着型表示装置であって、
前記制御部は、前記省電力移行時に、前記画像表示部により表示されていた画像の情報を記憶し、前記復帰移行時に、前記省電力移行時に表示されていた画像から表示を再開する、頭部装着型表示装置。
【００３１】
この頭部装着型表示装置では、復帰移行時に、省電力移行時に表示されていた画像から表示を再開するため、復帰移行時に効率的に目的の画像を見ることができ、利便性を向上させることができる。
【００３２】
［適用例１２］適用例３に記載の頭部装着型表示装置であって、
前記制御部は、前記省電力移行の後、前記検出部が使用者のまぶたが所定の時間閉じ続けているのを検出したとき、さらに消費電力の小さい動作モードへの前記省電力移行を行う、頭部装着型表示装置。
【００３３】
この頭部装着型表示装置では、制御部は、検出部が使用者のまぶたの状態に応じて、段階的に消費電力の小さい動作モードへの省電力移行を行う。そのため、この頭部装着型表示装置は、消費電力を小さくしつつ、速やかに復帰移行を行うことができる。
【００３４】
［適用例１３］適用例１に記載の装置であって、
前記制御部は、前記検出部が検出したまぶたの状態の各パターンを所定の規則に従って入力情報に変換する、装置。
【００３５】
この装置では、検出部がまぶたの状態のパターンを検出して、制御部がパターンに割り当てられた指示を所定の規則に従って入力情報に変換するので、パターンに割り当てられた複数の指示を実行することができ、利便性を向上させることができる。
【００３６】
［適用例１４］適用例１３に記載の装置であって、
前記制御部は、前記入力情報に応じた所定の動作を行う、装置。
【００３７】
この装置では、制御部は各パターンに従って変換した入力情報に応じて割り当てられた動作を行うので、パターンに割り当てられた複数の機能を実行することができ、利便性を向上させることができる。
【００３８】
［適用例１５］適用例１３または適用例１４に記載の装置であって、
前記検出部は、所定のタイミングにおけるまぶたの開閉状態を検出する、装置。
【００３９】
この装置では、検出部はまぶたの状態を所定のタイミングにおける開いた状態と閉じた状態との２種類で検出して判定しているので、まぶたの状態の誤検出が少なくて精度の高い操作性を実現することができる。
【００４０】
［適用例１６］適用例１５に記載の装置であって、
前記各パターンは、複数の前記タイミングのそれぞれにおけるまぶたの開閉状態の組み合わせにより規定されるパターンを含む、装置。
【００４１】
この装置では、まぶたの開閉状態のパターンが、複数の所定のタイミングにおけるまぶたの開閉状態の組み合わせにより規定されるパターンなので、複数のパターンに応じた指示を行うことができ、利便性を向上させることができる。
【００４２】
［適用例１７］適用例１５または適用例１６に記載の装置であって、
前記検出部は、右まぶたの状態と左まぶたの状態とを検出し、
前記各パターンは、前記右まぶたの状態と前記左まぶたの状態との組み合わせにより規定されるパターンを含む、装置。
【００４３】
この装置では、検出部が右まぶたと左まぶたとの開閉状態を検出して、まぶたの開閉状態のパターンが右まぶたと左まぶたとの開閉状態の組み合わせにより規定されるパターンなので、複数のパターンに応じた動作を行うことができ、利便性を向上させることができる。
【００４４】
［適用例１８］適用例１３ないし適用例１７のいずれかに記載の装置であって、
前記制御部は、前記各パターンのうちの一部のパターンを除いた各パターンを前記所定の規則に従って前記入力情報に変換し、前記一部のパターンは変換しない、装置。
【００４５】
この装置では、制御部は、まぶたの状態のパターンのうちの一部のパターンを除いた各パターンに割り当てられた指示を所定の規則に従って入力情報に変換し、一部のパターンに割り当てられた指示は入力情報に変換しない。そのため、この装置では、各パターンに割り当てられた指示を行う場合に、使用者が意図しない指示を行うことを回避することができる。
【００４６】
［適用例１９］適用例１３に記載の装置であって、
前記制御部は、前記入力情報に応じた入力データーを入力する、装置。
【００４７】
この装置では、制御部は検出部が検出したまぶたの状態を変換した入力情報に応じた入力データーを入力するので、使用者は手を使うことなく入力データーの入力が可能となり、操作性を向上させることができる。
【００４８】
［適用例２０］適用例１３ないし適用例１９のいずれかに記載の装置であって、さらに、
使用者の操作を受け付ける操作部を備え、
前記制御部は、前記各パターンと前記操作との組み合わせを前記所定の規則に従って前記入力情報に変換する、装置。
【００４９】
この装置では、制御部は、まぶたの状態のパターンに加えて操作部が受け付けた操作との組み合わせに従って入力情報に変換するので、まぶたの状態の誤検出を防ぐことができ、使用者はより多くのパターンによる指示を行うことができる。
【００５０】
［適用例２１］適用例１３ないし適用例２０のいずれかに記載の装置であって、
前記検出部は、所定の時間におけるまぶたの開閉の回数を検出し、
前記各パターンは、前記所定の時間におけるまぶたの開閉回数により規定されるパターンを含む、装置。
【００５１】
この装置では、検出部が所定の時間におけるまぶたの開閉の回数を検出して、まぶたのパターンはその開閉回数により規定されるので、使用者は簡単なまぶたの状態変化によって指示を行うことができ、利便性を向上させることができる。
【００５２】
［適用例２２］適用例１３ないし適用例２１のいずれかに記載の装置であって、
前記検出部は、前記まぶたの状態の内、まぶたを閉じている時間が所定の値よりも短い場合には、まぶたが開いている状態と解釈する、装置。
【００５３】
この装置では、検出部がまぶたの状態の内、まぶたを閉じている時間が所定の値よりも短い場合にはまぶたが開いている状態と解釈するので、眼の瞬きを検出しないで、まぶたの状態の誤検出を回避することができる。
【００５４】
［適用例２３］適用例１３ないし適用例２２のいずれかに記載の装置であって、さらに、
使用者の頭部の動きを感知する感知部を備え、
前記制御部は、前記各パターンと前記頭部の動きとの組み合わせを前記所定の規則に従って前記入力情報に変換する、装置。
【００５５】
この装置では、さらに使用者の頭部の動きを感知する感知部を備え、制御部はまぶたの状態の各パターンと感知した使用者の頭部の動きとの組み合わせに従って入力情報に変換する。そのため、この装置では、使用者は手を使うことなく操作が可能となり、まぶたの状態の誤検出を防ぐことができ、頭部の動きとの組み合わせによるより多くのパターンの指示を行うことができる。
【００５６】
［適用例２４］頭部装着型表示装置であって、
画像データーに基づいて画像光を生成し射出する画像光生成部と、前記画像光を使用者の眼に導く導光部と、を有し、使用者に虚像を視認させる画像表示部と、
前記画像表示部と接続され、前記画像表示部に前記画像データーを送信すると共に、前記画像表示部による画像表示を制御する適用例１３ないし適用例２３のいずれかに記載の装置と、を備える、頭部装着型表示装置。
【００５７】
この頭部装着型表示装置は、制御部と画像表示部とを備えているので、携帯性の高い画像表示装置を実現することができる。
【００５８】
なお、本発明は、種々の態様で実現することが可能であり、例えば、装置および装置の制御方法、頭部装着型表示装置および頭部装着型表示装置の制御方法、検出指示装置、状態検出制御装置、まぶた検知制御装置、情報処理システム、頭部装着型表示システム、これらの方法、装置またはシステムの機能を実現するためのコンピュータープログラム、そのコンピュータープログラムを記録した記録媒体、そのコンピュータープログラムを含み搬送波内に具現化されたデーター信号、等の形態で実現することができる。
【図面の簡単な説明】
【００５９】
【図１】本発明の第１実施例における頭部装着型表示装置１００の外観構成を示す説明図である。
【図２】画像表示部２０の詳細構成を示す説明図である。
【図３】頭部装着型表示装置１００の構成を機能的に示す説明図である。
【図４】使用者に認識される虚像の一例を示す説明図である。
【図５】第１実施例における頭部装着型表示装置１００の制御処理の流れを示すフローチャートである。
【図６】第２実施例における頭部装着型表示装置１００の制御処理の流れを示すフローチャートである。
【図７】第２実施例における時間とまぶたの開閉状態との関係を示す説明図である。
【図８】第２実施例における頭部装着型表示装置１００の使用者のまぶたの各パターンに応じた機能の一例を示す説明図である。
【図９】変形例における頭部装着型表示装置１００の使用者のまぶたの各パターンに応じた機能の一例を示す説明図である。
【図１０】変形例における頭部装着型表示装置１００の使用者のまぶたの状態に応じた入力データーの一例を示す説明図である。
【発明を実施するための形態】
【００６０】
次に、本発明の実施の形態を実施例に基づいて以下の順序で説明する。
Ａ．第１実施例：
Ａ−１．装置構成：
Ａ−２．制御処理：
Ｂ．第２実施例：
Ｃ．変形例：
【００６１】
Ａ．第１実施例：
Ａ−１．装置構成：
図１は、本発明の第１実施例における頭部装着型表示装置１００の外観構成を示す説明図である。頭部装着型表示装置１００は、頭部に装着する表示装置であり、ヘッドマウントディスプレイ（Head Mounted Display、ＨＭＤ）とも呼ばれる。本実施例の頭部装着型表示装置１００は、使用者が、虚像を視認すると同時に外景も直接視認可能な光学透過型の頭部装着型表示装置である。
【００６２】
頭部装着型表示装置１００は、使用者の頭部に装着された状態において使用者に虚像を視認させる画像表示部２０と、画像表示部２０を制御する制御部（コントローラー）１０と、を備えている。
【００６３】
画像表示部２０は、使用者の頭部に装着される装着体であり、本実施例では眼鏡のような形状である。画像表示部２０は、テンプル（つる）として機能する耳掛部２１と、使用者が画像表示部２０を装着した状態においてそれぞれ使用者の右および左の眼の前に位置する右光学パネル２６および左光学パネル２８と、を有している。また、右耳用の耳掛部２１と右光学パネル２６との接続箇所には、右表示駆動部２２が配置され、左耳用の耳掛部２１と左光学パネル２８との接続箇所には、左表示駆動部２４が配置されている。以降の説明では、右光学パネル２６および左光学パネル２８をまとめて単に「光学パネル２６、２８」とも呼ぶ。
【００６４】
画像表示部２０は、また、右耳用の右イヤホン３２および左耳用の左イヤホン３４を有する。右イヤホン３２および左イヤホン３４は、使用者が画像表示部２０を装着した際に、それぞれ右および左の耳に装着される。
【００６５】
画像表示部２０は、さらに、画像表示部２０を制御部１０に接続するための接続部４０を有している。接続部４０は、制御部１０に接続される本ケーブル４８と、本ケーブル４８が２本に分岐した右ケーブル４２および左ケーブル４４と、分岐点に設けられた連結部４６と、を含んでいる。右ケーブル４２は、右表示駆動部２２に接続されており、左ケーブル４４は、左表示駆動部２４に接続されている。画像表示部２０と制御部１０とは、接続部４０を介して各種信号の伝送を行う。本ケーブル４８における連結部４６とは反対側の端部と制御部１０とのそれぞれには、互いに嵌合するコネクター（不図示）が設けられており、本ケーブル４８のコネクターと制御部１０のコネクターとの嵌合／嵌合解除により、制御部１０と画像表示部２０とが接続されたり切り離されたりする。
【００６６】
制御部１０は、画像表示部２０による画像表示を制御する装置である。制御部１０は、電源のＯＮ／ＯＦＦを切り換える電源スイッチ１８と、頭部装着型表示装置１００の動作状態（例えば、電源のＯＮ／ＯＦＦ状態）を発光状態によって通知する点灯部１２と、使用者の指操作を検出して指操作に応じた信号を出力するタッチパッド１４と、上下左右方向に対応するキーの押下操作を検出して操作に応じた信号を出力する十字キー１６と、を有している。点灯部１２としては、例えば、１つまたは複数のＬＥＤランプを用いることができる。タッチパッド１４としては、静電式や圧力検出式、光学式といった種々のタッチパッドを採用することができる。
【００６７】
図２は、画像表示部２０の詳細構成を示す説明図である。画像表示部２０は、使用者のまぶたの状態を検出する赤外線センサー５０を有している。赤外線センサー５０は、使用者の両眼に向けて赤外線を射出する赤外線発光部５１と使用者の両眼で反射した赤外線を受光する赤外線受光部５６とを有している。赤外線発光部５１は、使用者の右眼に向けて赤外線を射出する右赤外線発光部５２と使用者の左眼に向けて赤外線を射出する左赤外線発光部５４とを有している。右赤外線発光部５２は右表示駆動部２２に設けられており、左赤外線発光部５４は左表示駆動部２４に設けられている。赤外線受光部５６は、右光学パネル２６と左光学パネル２８の中間である境界部分に設けられている。
【００６８】
右赤外線発光部５２から射出された赤外線は、後述する画像表示部２０に含まれる右導光板２６１に反射されて、使用者の右眼６２に入射する。その入射光に対する右眼６２からの赤外線の反射光は、赤外線受光部５６に達し、赤外線センサー５０により検出される。左赤外線発光部５４から射出された赤外線は、右赤外線発光部５２から射出された赤外線と同様であるため、ここでは説明を省略する。使用者の眼が開いている状態と眼が閉じている状態とでは、赤外線の反射率が異なるため、赤外線受光部５６での出力値が異なる。そのため、赤外線センサー５０は、使用者の眼が開いている状態と眼が閉じている状態とを判定することができる。
【００６９】
図３は、頭部装着型表示装置１００の構成を機能的に示す説明図である。図３に示すように、制御部１０は、ＣＰＵ１４０と、ＲＯＭやＲＡＭ等により構成された記憶部１２０と、頭部装着型表示装置１００の各部に電力を供給する電源１３０と、使用者により操作される操作部１１０（本実施例では、タッチパッド１４、十字キー１６、電源スイッチ１８）と、画像（静止画像、動画像）や音声等のコンテンツデーターの供給元となる種々の外部機器ＯＡ（例えば、パーソナルコンピューターＰＣや携帯電話端末、ゲーム端末）を接続するためのインターフェイス１８０と、を有している。電源１３０としては、例えば二次電池を用いることができ、インターフェイス１８０としては、例えばＵＳＢインターフェイスやメモリーカード用インターフェイス、無線ＬＡＮインターフェイス等を採用することができる。
【００７０】
記憶部１２０には、種々のコンピュータープログラムが格納されており、ＣＰＵ１４０は、記憶部１２０からコンピュータープログラムを読み出して実行することにより、オペレーティングシステム（ＯＳ）１５０や、画像処理部１６０、表示制御部１９０、検出制御部１８３、音声処理部１７０として機能する。
【００７１】
画像処理部１６０は、インターフェイス１８０を介して入力されるコンテンツデーターに基づき、垂直同期信号ＶＳｙｎｃ、水平同期信号ＨＳｙｎｃ、画像データーＤａｔａを生成し、接続部４０を介してこれらの信号を画像表示部２０に供給する。具体的には、画像処理部１６０は、コンテンツデーターに含まれる画像信号（例えば、１秒あたり３０枚のフレーム画像から構成されるアナログ信号）を取得し、取得した画像信号から垂直同期信号ＶＳｙｎｃや水平同期信号ＨＳｙｎｃ等の同期信号を分離し、同期信号が分離されたアナログ画像信号をデジタル画像信号に変換して画像データーＤａｔａを生成する。なお、画像処理部１６０は、必要に応じて、画像データーに対する解像度変換処理や色調補正処理等を実行してもよい。
【００７２】
検出制御部１８３は、赤外線センサー５０と接続しており、赤外線受光部５６で受光した赤外線の出力値を検出する。また、検出制御部１８３は、赤外線発光部５１の赤外線の発光を制御する。検出制御部１８３は、赤外線受光部５６での出力値に基づき、使用者の眼が開いている状態と眼が閉じている状態とを判定する。その判定に基づき、検出制御部１８３は、制御信号を生成し、表示制御部１９０に制御信号を供給する。なお、検出制御部１８３と赤外線センサー５０とは、本発明の検出部１８５に相当する。
【００７３】
表示制御部１９０は、検出部１８５等からの制御信号を受信し、右表示駆動部２２および左表示駆動部２４を制御する制御信号を生成し、接続部４０を介して画像表示部２０に供給することにより、画像表示部２０における画像表示状態を制御する。具体的には、表示制御部１９０は、生成した制御信号により、右ＬＣＤ制御部２１１による右ＬＣＤ２４１の駆動ＯＮ／ＯＦＦや右光源制御部２０１による右光源２２１の駆動ＯＮ／ＯＦＦや、左ＬＣＤ制御部２１２による左ＬＣＤ２４２の駆動ＯＮ／ＯＦＦや左光源制御部２０２による左光源２２２の駆動ＯＮ／ＯＦＦを個別に制御することにより、右表示駆動部２２および左表示駆動部２４のそれぞれによる画像光の生成の有無を制御する。例えば、表示制御部１９０は、右表示駆動部２２および左表示駆動部２４の両方に画像光を生成させたり、一方のみに画像光を生成させたり、両方共に画像光を生成させなかったりする。
【００７４】
音声処理部１７０は、コンテンツデーターに含まれる音声信号を取得し、取得した音声信号を増幅して、画像表示部２０の右イヤホン３２および左イヤホン３４に接続部４０を介して供給する。
【００７５】
画像表示部２０の右表示駆動部２２は、例えばＬＥＤランプにより構成された右光源２２１と、制御部１０から供給される制御信号に基づいて右光源２２１を駆動する右光源制御部２０１と、右光源２２１から射出される光を画像を表す画像光へと変換する右液晶ディスプレイ（ＬＣＤ）２４１と、制御部１０から供給される垂直同期信号ＶＳｙｎｃ、水平同期信号ＨＳｙｎｃ、画像データーＤａｔａに基づいて右ＬＣＤ２４１を駆動制御する右ＬＣＤ制御部２１１と、を有している。右ＬＣＤ２４１は、例えば透過型液晶パネルを用いて構成される。右ＬＣＤ２４１と右ＬＣＤ制御部２１１とで、右眼用画像生成部２４４が構成される。右表示駆動部２２は、生成された画像光を投写する右投写光学系２５１を有している。右投写光学系２５１は、例えばコリメートレンズを用いて構成される。
【００７６】
画像表示部２０の右光学パネル２６（図１）は、右導光板２６１を有しており、右導光板２６１は、右投写光学系２５１から出力された画像光を、所定の光路に沿って反射させつつ使用者の右眼６２（図２）に導く。なお、右投写光学系２５１と右導光板２６１とは、本発明における導光部に相当する。
【００７７】
左表示駆動部２４は、右表示駆動部２２と同様に、左光源２２２と、左光源制御部２０２と、左ＬＣＤ２４２と、左ＬＣＤ制御部２１２と、左投写光学系２５２と、を含んでいる。左表示駆動部２４に含まれる各要素の構成や機能は、右表示駆動部２２に含まれる各要素と同様であるため、ここでは説明を省略する。また、画像表示部２０の左光学パネル２８は、左導光板２６２を有しており、左導光板２６２は、左投写光学系２５２から出力された画像光を、所定の光路に沿って反射させつつ使用者の左眼６４（図２）に導く。左ＬＣＤ２４２と左ＬＣＤ制御部２１２とで、左眼用画像生成部２４６が構成される。左投写光学系２５２と左導光板２６２とは、本発明における導光部に相当する。以下では、右光源制御部２０１および左光源制御部２０２をまとめて単に「光源制御部２０１、２０２」とも呼び、右光源２２１および左光源２２２をまとめて単に「光源２２１、２２２」とも呼び、右眼用画像生成部２４４および左眼用画像生成部２４６とをまとめて単に「画像生成部２４４、２４６」とも呼ぶ。なお、光源２２１、２２２と画像生成部２４４、２４６とは、本発明における画像光生成部に相当する。
【００７８】
このようにして、頭部装着型表示装置１００の使用者の両眼に導かれた画像光が網膜に結像することにより、使用者は虚像を視認する。図４は、使用者に認識される虚像の一例を示す説明図である。図４に示すように、頭部装着型表示装置１００の使用者の視野ＶＲ内には虚像ＶＩが視認される。また、使用者の視野ＶＲの内、虚像ＶＩが視認された部分以外については、使用者は、右光学パネル２６および左光学パネル２８を透過して、外景ＳＣを見ることができる。なお、本実施例の頭部装着型表示装置１００では、使用者の視野ＶＲの内の虚像ＶＩが視認された部分についても、虚像ＶＩの背後に外景ＳＣが透けて見えるようになっている。
【００７９】
なお、右光学パネル２６および左光学パネル２８は、右導光板２６１および左導光板２６２の前面側（使用者の眼の側とは反対の側）に設けられ、光透過率を調整可能な調光板を有しているとしてもよい。調光板を設けると、調光板の光透過率を調整することにより、使用者の眼に入る外光量を調整し、虚像の視認のしやすさを調整することができる。
【００８０】
Ａ−２．制御処理
図５は、第１実施例における頭部装着型表示装置１００の制御処理の流れを示すフローチャートである。本実施例の頭部装着型表示装置１００が使用されている状態では、インターフェイス１８０を介して接続された外部機器ＯＡから、動画や画像等のコンテンツデーターがＣＰＵ１４０に供給される。表示制御部１９０は、供給されたコンテンツデーターに基づいて、制御信号を生成する。その制御信号は、光源制御部２０１、２０２と画像生成部２４４、２４６とに供給される。光源制御部２０１、２０２は、供給された制御信号に基づいて、光源２２１、２２２の輝度を増減する。画像生成部２４４、２４６は、供給された制御信号に基づいて、光源２２１、２２２から射出された光を画像光に変換する。左投写光学系２５２と左導光板２６２とが、画像光を使用者の眼に導く。画像光は、使用者に虚像として視認され、ＣＰＵ１４０に含まれる音声処理部１７０は、外部機器ＯＡから供給されたコンテンツの音声を再生する（ステップ３１０）。なお、本実施例では、頭部装着型表示装置１００は、透過型頭部装着型表示装置であるため、使用者は虚像ＶＩの背後に外景ＳＣが透けて見えるようになっている。
【００８１】
頭部装着型表示装置１００の動作時には、検出部１８５は、使用者のまぶたの状態（まぶたの開閉状態）を検出する（ステップＳ３２０）。使用者が外部機器ＯＡから供給されたコンテンツを鑑賞しているときに、検出部１８５は、使用者のまぶたが閉じ続けているのを検出するときがある。このとき、使用者は眠った可能性があると考えられる。そのため、本実施例において、制御部１０と表示制御部１９０とは、検出部１８５が検出した使用者のまぶたの開閉状態に応じて、動作モードを切り替える。
【００８２】
検出部１８５が、使用者のまぶたが１０秒以上は閉じ続けたことを検出しない間は（ステップＳ３３０：ＮＯ）、使用者が眠っていないと判定し、頭部装着型表示装置１００の通常動作は続く（ステップＳ３３１）。
【００８３】
頭部装着型表示装置１００が通常動作のときに、検出部１８５は、使用者のまぶたが１０秒以上閉じ続けていたのを検出したとき（ステップＳ３３０：ＹＥＳ）、使用者が眠っていると判定する。このとき、表示制御部１９０は、光源２２１、２２２の輝度を低減する（ステップＳ３４０）。光源２２１、２２２から射出される光を低減することにより、の輝度を低減することにより、頭部装着型表示装置１００は、より消費電力の小さい動作モードへと移行する。この移行を省電力移行と呼ぶ。
【００８４】
本実施例では、表示制御部１９０は、右光源制御部２０１と左光源制御部２０２とに、別々の制御を行っている。右光源制御部２０１は右光源２２１を制御し、左光源制御部２０２は左光源２２２を制御する。そのため、表示制御部１９０は、右光源２２１と左光源２２２とのどちらか一方だけの輝度を低減することもできる。また、表示制御部１９０は、右光源２２１と左光源２２２とで輝度を別々に低減することもできる。
【００８５】
検出部１８５は、光源２２１、２２２の輝度が低減された後、３０秒の間に使用者のまぶたが開いたことを検出したときは（ステップＳ３５０：ＮＯ）、使用者が眠りから覚めたと判定する。このとき、表示制御部１９０は、光源２２１、２２２の輝度を最大にする（ステップＳ３５１）。光源２２１、２２２の輝度を最大にすることにより、頭部装着型表示装置１００は、より消費電力の大きい動作モードへと移行する。この移行を復帰移行と呼ぶ。その後、表示制御部１９０は通常動作へと移行する（ステップＳ３３１）。なお、光源２２１、２２２の輝度の増加分は、ステップＳ３４０の処理における光源２２１、２２２の輝度の減少分と等しくなくてもよい。また、表示制御部１９０は、時間の経過と共に、光源２２１、２２２の輝度を徐々に増加してもよい。
【００８６】
検出部１８５は、光源２２１、２２２の輝度が低減された後、引き続き、使用者のまぶたが３０秒以上閉じ続けていたのを検出したときは（ステップＳ３５０：ＹＥＳ）、使用者が眠り続けていると判定する。このとき、表示制御部１９０は、光源２２１、２２２を消灯する（ステップＳ３６０）。これにより、頭部装着型表示装置１００は、さらに消費電力の小さい動作モードへの省電力移行を行う。
【００８７】
検出部１８５は、光源２２１、２２２が消灯された後、１分の間に使用者のまぶたが開いたことを検出したときは（ステップＳ３７０：ＮＯ）、使用者が眠りから覚めたと判定する。このとき、表示制御部１９０は、保養映像（例えば、輝度の低い映像）を画像表示部２０に表示させる（ステップＳ３７１）。その後、表示制御部１９０は、光源２２１、２２２の輝度を最大にし（ステップＳ３５１）、通常動作へと移行する（ステップＳ３３１）。これにより、頭部装着型表示装置１００は、より消費電力の大きい動作モードへと復帰移行を行う。なお、本実施例では、光源２２１、２２２が、消灯状態から短時間で輝度が増加してしまうと、使用者の眼への負担は大きいため、表示制御部１９０が、保養映像を画像表示部２０に表示させる。なお、表示制御部１９０は、保養映像を表示せず、短時間で光源２２１、２２２の輝度を増加してもよいし、時間の経過と共に、光源２２１、２２２の輝度を徐々に増加してもよい。
【００８８】
光源２２１、２２２が消灯しているときに、検出部１８５は、引き続き、使用者のまぶたが１分以上閉じ続けているのを検出したときは（ステップＳ３７０：ＹＥＳ）、使用者が眠り続けていると判定する。このとき、表示制御部１９０は、画像生成部２４４、２４６の動作を停止する（ステップＳ３８０）。これにより、頭部装着型表示装置１００は、さらに消費電力の小さい動作モードへの省電力移行を行う。
【００８９】
本実施例では、表示制御部１９０は、右眼用画像生成部２４４と左眼用画像生成部２４６とに、別々の制御を行っている。そのため、表示制御部１９０は、右眼用画像生成部２４４と左眼用画像生成部２４６とのどちらか一方だけの動作を停止することも可能である。
【００９０】
検出部１８５は、画像生成部２４４、２４６の動作が停止された後、５分の間に使用者のまぶたが開いたことを検出したときは（ステップＳ３９０：ＮＯ）、使用者が眠りから覚めたと判定する。このとき、表示制御部１９０は、画像生成部２４４、２４６の動作を再び開始する（ステップＳ３９１）。その後、表示制御部１９０は、保養映像を画像表示部２０に表示させ（ステップＳ３７１）、光源２２１、２２２の輝度を最大にし（ステップＳ３５１）、通常動作へと移行する（ステップＳ３３１）。これにより、頭部装着型表示装置１００は、より消費電力の大きい動作モードへと復帰移行を行う。
【００９１】
検出部１８５は、画像生成部２４４、２４６の動作が停止された後、引き続き、使用者のまぶたが５分以上閉じ続けているのを検出したときは（ステップＳ３９０：ＹＥＳ）、使用者が眠り続けていると判定する。このとき、制御部１０は、画像処理部１６０と表示制御部１９０と検出制御部１８３と音声処理部１７０との動作を停止する（ステップＳ４００）。これにより、頭部装着型表示装置１００は、さらに消費電力の小さい動作モードへの省電力移行を行う。なお、画像処理部１６０と表示制御部１９０と検出制御部１８３と音声処理部１７０との動作が停止した動作モードをスタンバイモードと呼ぶ。また、画像処理部１６０と表示制御部１９０と検出制御部１８３と音声処理部１７０とは、本発明における制御部１０の複数の機能を実現する機能部の各一つに相当する。
【００９２】
スタンバイモードのときに、操作部１１０の電源スイッチ１８が押下されない限りは、検出部１８５は使用者が眠り続けていると判定し、スタンバイモードは継続する（ステップＳ４１０：ＮＯ）。
【００９３】
スタンバイモードのときに、操作部１１０の電源スイッチ１８が押下されると（ステップＳ４１０：ＹＥＳ）、制御部１０は、使用者が眠りから覚めたと判定する。このとき、制御部１０は、スタンバイモードを解除し、画像処理部１６０と表示制御部１９０と検出制御部１８３と表示制御部１９０との動作が再び開始する（ステップＳ４１１）。その後、表示制御部１９０は、保養映像を画像表示部２０に表示させ（ステップＳ３７１）、光源２２１、２２２の輝度を最大にし（ステップＳ３５１）、通常動作へと移行する（ステップＳ３３１）。これにより、頭部装着型表示装置１００は、より消費電力の大きい動作モードへと復帰移行を行う。
【００９４】
また、本実施例では、記憶部１２０は、スタンバイモードへと移行する前に、表示制御部１９０が画像表示部２０に表示させていたコンテンツデーターの画像の情報を記憶してある。そのため、制御部１０がスタンバイモードを解除したとき、画像処理部１６０と表示制御部１９０と検出制御部１８３と表示制御部１９０との動作が再び開始し、表示制御部１９０は、記憶部１２０に記憶していたコンテンツデーターの画像の情報に基づいて、中断したところから再開できる。
【００９５】
以上説明したように、本実施例の頭部装着型表示装置１００では、検出部１８５は使用者のまぶたの開閉状態を検出する。表示制御部１９０は、まぶたの開閉状態によって、光源２２１、２２２の輝度を増減し、画像生成部２４４、２４６の動作を制御する。また、制御部１０は、まぶたの開閉状態によって、スタンバイモードへと移行したり、スタンバイモードを解除したりする。表示制御部１９０は、検出部１８５が、使用者のまぶたが所定の時間閉じ続けているのを検出したときは、使用者が眠っている状態と判定する。このとき、表示制御部１９０と制御部１０とは、省電力移行を行う。本実施例では、省電力移行として、表示制御部１９０は、光源２２１、２２２の輝度を低減したり、画像生成部２４４、２４６の動作を停止したりする。また、制御部１０は、スタンバイモードへと移行する。逆に、通常動作よりも消費電力が小さい動作モードのときに、検出部１８５は、使用者のまぶたが所定の時間閉じ続けたことを検出しないときは、使用者は眠りから覚めたと判定する。このとき、表示制御部１９０と画像表示部２０とは、復帰移行を行う。本実施例では、復帰移行として、表示制御部１９０は、光源２２１、２２２の輝度を増加したり、画像生成部２４４、２４６の動作を再び開始したりする。制御部１０は、スタンバイモードを解除する。従って、本実施例の頭部装着型表示装置１００では、検出した使用者のまぶたの開閉状態に応じて、表示制御部１９０と制御部１０は、消費電力の異なる適切な動作モードに切り替えるので、消費電力を抑えることができる。
【００９６】
また、本実施例の頭部装着型表示装置１００では、通常動作のときに、検出部１８５は、使用者のまぶたが１０秒以上閉じ続けているのを検出したとき、使用者が眠っていると判定する。このとき、表示制御部１９０は、光源２２１、２２２の輝度を低減する。また、光源２２１、２２２の輝度が低減しているときに、検出部１８５は、引き続き、使用者のまぶたが３０秒以上閉じ続けているのを検出したとき、使用者が眠り続けていると判定する。このとき、表示制御部１９０は、光源２２１、２２２を消灯する。従って、この頭部装着型表示装置１００は、使用者が眠っているときに、光源２２１、２２２の輝度を低減して、より消費電力の小さい動作モードに移行するので、消費電力を小さくすることができる。
【００９７】
また、本実施例の頭部装着型表示装置１００では、光源２２１、２２２が消灯しているときに、検出部１８５は、引き続き、使用者のまぶたが１分以上閉じ続けているのを検出したとき、使用者が眠り続けていると判定する。このとき、表示制御部１９０は、画像生成部２４４、２４６の動作を停止する。従って、この頭部装着型表示装置１００は、使用者が眠り続けているときに、画像生成部２４４、２４６の動作を停止し、より消費電力の小さい動作モードに移行するので、消費電力を小さくすることができる。
【００９８】
また、本実施例の頭部装着型表示装置１００では、画像生成部２４４、２４６の動作が停止しているときに、検出部１８５は、引き続き、使用者のまぶたが５分以上閉じ続けているのを検出したとき、使用者が眠り続けていると判定する。このとき、制御部１０は、スタンバイモードへと移行する。従って、この頭部装着型表示装置１００は、使用者が眠り続けているときに、画像処理部１６０と表示制御部１９０と検出制御部１８３と音声処理部１７０との動作が停止し、より消費電力の小さい動作モードに移行するので、消費電力を小さくすることができる。
【００９９】
また、本実施例の頭部装着型表示装置１００は、前述したように、使用者のまぶたが閉じ続けている時間に応じて、段階的に省電力移行を行う。使用者のまぶたが、閉じたからの経過時間が短いときは、経過時間が長いときに比べて、使用者の目が覚める可能性が高いと考えることができる。使用者の目が覚めたとき、通常動作への復帰移行に要する時間は短い方が望ましい。従って、この頭部装着型表示装置１００は、使用者のまぶたが閉じてからの経過時間に応じて、段階的により消費電力の小さい動作モードへと移行するので、消費電力を小さくしつつ、速やかに通常動作へと復帰することができる。
【０１００】
また、本実施例の頭部装着型表示装置１００では、光源２２１、２２２の輝度が低減しているときに、検出部１８５は、使用者のまぶたがさらに３０秒以上は閉じ続けたこと検出しないとき、使用者が眠りから覚めたと判定する。このとき、表示制御部１９０は、光源２２１、２２２の輝度を最大にする。また、光源２２１、２２２が消灯しているときに、検出部１８５は、使用者のまぶたがさらに１分以上は閉じ続けたことを検出しないとき、使用者が眠りから覚めたと判定する。このとき、表示制御部１９０は、保養映像を画像表示部２０に表示させる。その後、表示制御部１９０は、光源２２１、２２２の輝度を最大にする。従って、この頭部装着型表示装置１００は、使用者が眠っているときは消費電力を小さくして、使用者が眠りから覚めたとき、速やかに通常動作へと復帰することができる。
【０１０１】
また、本実施例の頭部装着型表示装置１００では、画像生成部２４４、２４６の動作が停止しているときに、検出部１８５は、使用者のまぶたがさらに５分以上は閉じ続けたことを検出しないとき、使用者が眠りから覚めたと判定する。このとき、表示制御部１９０は、画像生成部２４４、２４６の動作を再び開始する。その後、表示制御部１９０は、保養映像を画像表示部２０に表示させ、光源２２１、２２２の輝度を最大にする。従って、この頭部装着型表示装置１００は、使用者が眠っているときは消費電力を小さくして、使用者が眠りから覚めたとき、速やかに通常動作へと復帰することができる。
【０１０２】
また、本実施例の頭部装着型表示装置１００では、スタンバイモードのときに、操作部１１０の電源スイッチ１８が押下されると、制御部１０は、使用者が眠りから覚めたと判定する。このとき、制御部１０は、スタンバイモードを解除し、画像処理部１６０と表示制御部１９０と検出制御部１８３と表示制御部１９０との動作が再び開始する。その後、表示制御部１９０は、保養映像を画像表示部２０に表示させ、光源２２１、２２２の輝度を最大にする。従って、この頭部装着型表示装置１００は、使用者が眠っているときは消費電力を小さくして、使用者が眠りから覚めたとき、速やかに通常動作へと復帰することができる。
【０１０３】
また、本実施例の頭部装着型表示装置１００は、前述したように、使用者のまぶたが閉じ続けている時間に応じて、段階的に復帰移行を行う。使用者のまぶたが閉じてからの経過時間が長いときは、使用者の眠りが深いと考えることができる。そのため、検出部１８５が、使用者のまぶたが閉じている状態から開いたのを検出したとき、短時間で光源２２１、２２２の輝度が増加してしまうと、使用者の眼への負担は大きい。従って、この頭部装着型表示装置１００は、段階的に復帰移行を行うことで、使用者の眼への負担を減らすことができる。
【０１０４】
また、本実施例の頭部装着型表示装置１００では、画像処理部１６０は、記憶部１２０に、スタンバイモードへと移行する前に、表示制御部１９０が画像表示部２０に表示させていたコンテンツの情報を記憶する。コンテンツの情報は、例えば、フレーム番号やフレームデーターである。そのため、制御部１０がスタンバイモードを解除したとき、画像処理部１６０と表示制御部１９０と検出制御部１８３と表示制御部１９０との動作が再び開始し、表示制御部１９０は、記憶部１２０に記憶していたコンテンツの情報に基づいて、中断したところから再開できる。従って、この頭部装着型表示装置１００では、使用者は効率的に見たいコンテンツを再開できる。
【０１０５】
また、本実施例の頭部装着型表示装置１００では、表示制御部１９０は、右光源制御部２０１と左光源制御部２０２とに、別々の制御を行っている。右光源制御部２０１は右光源２２１を制御し、左光源制御部２０２は左光源２２２を制御する。そのため、表示制御部１９０は、右光源２２１と左光源２２２とのどちらか一方だけの輝度を低減することもできる。また、表示制御部１９０は、右眼用画像生成部２４４と左眼用画像生成部２４６とに、別々の制御を行っている。そのため、表示制御部１９０は、右眼用画像生成部２４４と左眼用画像生成部２４６とのどちらか一方だけの動作を停止することもできる。従って、この頭部装着型表示装置１００は、右光源２２１と左光源２２２とを、また右眼用画像生成部２４４と左眼用画像生成部２４６とを、別々に制御しているので、柔軟な消費電力の低減を実現することができる。
【０１０６】
Ｂ．第２実施例：
図６は、第２実施例における頭部装着型表示装置１００の制御処理の流れを示すフローチャートである。第２実施例の頭部装着型表示装置１００は、使用者が手を使わずにまぶたによって操作できるように構成されている。制御処理は頭部装着型表示装置１００が使用者のまぶたによる操作に応じて制御を行う処理である。
【０１０７】
頭部装着型表示装置１００の制御処理では、検出部１８５は、右眼６２の右まぶた７２（図２）と左眼６４の左まぶた７４との開閉状態を検出する（ステップＳ５１０）。図７は、第２実施例における時間とまぶたの開閉状態との関係を示す説明図である。図７（ａ）には、赤外線センサー５０が検出した各時間における右まぶた７２（または左まぶた７４）の開閉状態を表す検出開閉信号ＥＳ１の一例を示している。図７（ｂ）には、赤外線センサー５０による検出結果を受けた検出制御部１８３が解釈した各時間における右まぶた７２（または左まぶた７４）の開閉状態を表す解釈開閉信号ＥＳ２の一例を示している。図７（ｂ）には、参考として、一点鎖線により検出開閉信号ＥＳ１も示している。図７では、まぶたが閉じている状態を「０」とし、まぶたが開いている状態を「１」としている。なお、図３に示すように、赤外線センサー５０および検出制御部１８３、すなわち検出部１８５は、画像表示部２０に取り付けられているが、制御部１０の構成の一部である。
【０１０８】
通常、頭部装着型表示装置１００の使用者は両まぶたを開いた状態である。赤外線センサー５０は、絶えず使用者の両まぶたの開閉状態を検出し、両まぶたの開閉状態を表す信号（図７（ａ）に示す検出開閉信号ＥＳ１）を検出制御部１８３に向けて出力している。検出制御部１８３は、検出開閉信号ＥＳ１に基づき両まぶたの開閉状態を判定し、例えば、使用者の右まぶた７２または左まぶた７４のいずれかのみを閉じた状態を検出すると、その検出時を開始時刻Ｔ０とし、開始時刻Ｔ０から０．５秒後の第１検出時刻Ｔ１およびさらにその１秒後の第２検出時刻Ｔ２で各まぶたの開閉状態を検出する。なお、開始時刻Ｔ０から第１検出時刻Ｔ１までの時間を０．５秒、第１検出時刻Ｔ１から第２検出時刻Ｔ２までの時間を１秒としたがこの値に限られないし、この時間は使用者が自由に設定できるとしてもよい。
【０１０９】
図７には、第２実施例の頭部装着型表示装置１００の使用者が、第１検出時刻Ｔ１でまぶたを開き、第２検出時刻Ｔ２でまぶたを閉じる動作を行った例を示している。
【０１１０】
通常、頭部装着型表示装置１００の使用者はまぶたを開く動作を行っても無意識的に瞬きを行ってしまう場合がある。図７（ａ）に示す時間ＢＴの区間は、瞬きによりまぶたが閉じた区間である。図７（ａ）に示すように第１検出時刻Ｔ１が瞬きの時間ＢＴの区間と重なると、赤外線センサー５０は第１検出時刻Ｔ１においてまぶたが閉じている状態を検出する。
【０１１１】
図７（ｂ）に示すように、検出制御部１８３は、赤外線センサー５０が検出した検出開閉信号ＥＳ１を解釈開閉信号ＥＳ２に変換する。検出制御部１８３は、眼の瞬きを検出してもまぶたを閉じている状態として判定しないようにするために、まぶたを閉じている時間が予め設定した閾値Ｔｔｈよりも短い場合には眼の瞬きと判定し、まぶたが閉じている状態ではなく開いている状態として判定する。第２実施例における頭部装着型表示装置１００では、予め設定した閾値Ｔｔｈは瞬きの時間ＢＴ（０．１０−０．１５秒）を考慮して０．３秒とし、検出制御部１８３はまぶたの開閉状態から眼の瞬きを除くように検出結果を解釈して検出部１８５はまぶたの開閉状態を検出する。なお、予め設定した閾値Ｔｔｈは、０．３秒に限られない。
【０１１２】
検出部１８５がまぶたの開閉状態を検出した後に、表示制御部１９０は、第１検出時刻Ｔ１および第２検出時刻Ｔ２における右まぶた７２および左まぶた７４の開閉状態を組み合わせた各パターンに割り当てられた機能があるか否かを判定する（ステップＳ５２０）。
【０１１３】
図８は、第２実施例における頭部装着型表示装置１００の使用者のまぶたの各パターンに応じた機能の一例を示す説明図である。検出部１８５が第１検出時刻Ｔ１および第２検出時刻Ｔ２の時刻に右まぶた７２および左まぶた７４の開閉状態を検出しているため、まぶたの開閉状態のパターンはパターンＰ０１からパターンＰ１６までの１６通り存在する。
【０１１４】
図８に示すように、パターンには機能が割り当てられているパターンと機能が割り当てられていないパターンとが存在する。例えば、パターンＰ１６は常に両眼のまぶたが開いた通常の状態と同じであるため、パターンＰ１６には機能を割り当てないことが好ましい。また、パターンＰ０３とパターンＰ０４とでまぶたの開閉状態が異なる点は、第２検出時刻Ｔ２において左まぶた７４が開いた状態から閉じた状態に変化したか閉じた状態のままであるかの点である。パターンＰ０３に割り当てられた機能を実行する場合に、第２検出時刻Ｔ２まで左まぶた７４を開いたまま持続すると、表示制御部１９０はパターンＰ０４に割り当てられた機能に対する制御信号に変換して画像表示部２０に供給する。そのため、第２実施例の頭部装着型表示装置１００では、使用者が意図した機能とは異なる機能を実行する場合があるので、パターンＰ０３とパターンＰ０４とのいずれかのパターンには機能を割り当てないことが好ましい。また、同様に、両まぶたが第１検出時刻Ｔ１から第２検出時刻Ｔ２まで変化しないパターンＰ０１、パターンＰ０４、パターンＰ１３にも機能を割り当てないことが好ましい。また、第１検出時刻Ｔ１と第２検出時刻Ｔ２との間隔によって、使用者が意図しない機能の実行を防止するために、機能を割り当てないことが好ましいパターンが存在する。なお、パターンに応じて割り当てられる機能は図８に示す機能に限られない。
【０１１５】
検出部１８５が検出したパターンに応じた機能が割り当てられていない場合（ステップＳ５２０：ＮＯ）、第２実施例における頭部装着型表示装置１００の制御処理は終了する。
【０１１６】
検出部１８５が検出したパターンに応じた機能が割り当てられている場合（ステップＳ５２０：ＹＥＳ）、表示制御部１９０は、パターンに割り当てられた機能を実行する（ステップＳ５３０）。例えば、使用者が、第１検出時刻Ｔ１で右まぶた７２を開いて左まぶた７４を閉じた後、第２検出時刻Ｔ２で右まぶた７２を閉じて左まぶた７４を開くと、表示制御部１９０はパターンＰ１０に割り当てられた機能を制御信号に変換して「ブラウザーの「戻る」」の動作を行う。なお、第２実施例における制御信号は本発明の入力情報に相当する。
【０１１７】
図８に示すように、パターンＰ１０以外には、パターンＰ０２、パターンＰ０３、パターンＰ０５、パターンＰ０７、パターンＰ１２、パターンＰ１５にも各パターンに応じた機能が割り当てられている。パターンＰ１２に割り当てられた機能はパターンＰ１０と同様にブラウザー等のプログラムに対して行う機能である。その他の上記各パターンの機能は、第１実施例の頭部装着型表示装置１００における動作モードと同じ機能であり、パターンＰ１０およびパターンＰ１２の機能と異なり、使用者が視認している画像の内容（例えば、インターネットおよび動画コンテンツ等）に関係なく実行される。
【０１１８】
以上説明したように、第２実施例における頭部装着型表示装置１００では、検出部１８５は使用者のまぶたの状態を検出し、表示制御部１９０は検出したまぶたの各パターンに割り当てられた機能を実行するので、使用者は手を使うことなく操作が可能となり、利便性を向上させることができる。
【０１１９】
また、第２実施例における頭部装着型表示装置１００では、検出制御部１８３が第１検出時刻Ｔ１および第２検出時刻Ｔ２における右まぶた７２と左まぶた７４との開閉状態を検出して、検出部１８５がまぶたの開閉状態のパターンを検出する。表示制御部１９０は、まぶたのパターンに割り当てられた機能を制御信号に変換して動作を行う。そのため、第２実施例における頭部装着型表示装置１００では、使用者は、手を使うことなく操作が可能であり、かつ、両まぶたの開閉状態のパターンに応じて割り当てられた複数の機能を実行することができるので、より利便性を向上させることができる。また、第２実施例における頭部装着型表示装置１００では、検出部１８５はまぶたが開いた状態と閉じた状態との２種類のみを検出しているので、誤検出が少なくて精度の高い操作性を実現することができる。また、第２実施例における頭部装着型表示装置１００は、制御部１０と画像表示部２０とを備えているので、携帯性の高い画像表示装置を実現することができる。
【０１２０】
また、第２実施例における頭部装着型表示装置１００では、検出制御部１８３は、まぶたを閉じている時間が予め設定した閾値Ｔｔｈよりも小さい場合には眼の瞬きと判定し、まぶたが閉じている状態ではなく開いている状態と解釈して、検出部１８５がまぶたの開閉状態を検出している。そのため、第２実施例における頭部装着型表示装置１００では、検出部１８５は眼の瞬きのまぶたが閉じている状態を検出しないので、まぶたの状態の誤検出を回避することができる。
【０１２１】
また、第２実施例における頭部装着型表示装置１００では、パターンＰ１６は常に両眼のまぶたが開いた通常の状態と同じであるため、パターンＰ１６には機能を割り当てておらず、パターンＰ０３とパターンＰ０４とのいずれかのパターンには機能は割り当てていない。また、両まぶたが第１検出時刻Ｔ１から第２検出時刻Ｔ２まで変化しないパターンＰ０１、パターンＰ０４、パターンＰ１３にも機能を割り当てていない。そのため、第２実施例における頭部装着型表示装置１００では、まぶたのパターンのうち一部のパターンには機能を割り当てていないので、各パターンに割り当てられた機能を実行する場合に、使用者が意図しない機能の実行を回避することができる。
【０１２２】
Ｃ．変形例：
なお、この発明は上記の実施例や実施形態に限られるものではなく、その要旨を逸脱しない範囲において種々の態様において実施することが可能であり、例えば次のような変形も可能である。
【０１２３】
Ｃ１．変形例１：
上記実施例における頭部装着型表示装置１００の構成は、あくまで一例であり、種々変形可能である。第１実施例では、検出部１８５は、使用者のまぶたが所定の時間閉じ続けたことを検出したとき、使用者が眠っていると判定する。しかし、使用者は、まぶたが閉じているだけで眠っていないときや、薄眼が開いているときがある。そのため、表示制御部１９０は、省電力移行を行う直前に、省電力移行を行う旨の通知を画像表示部２０に表示させてもよい。また同時に、音声処理部１７０は、音で省電力移行を行う旨の通知を流してもよい。なお、省電力移行を行う旨の通知は、表示制御部１９０の表示のみであってもよいし、音声処理部１７０の音だけであってもよい。表示制御部１９０は省電力移行を行う旨を通知してから、省電力移行を行うまでに、検出部１８５が使用者のまぶたが開いたのを検出したときは、表示制御部１９０は省電力移行を行わない。従って、この頭部装着型表示装置１００は、検出部１８５が検出する使用者のまぶたの状態だけで省電力移行を行うのではなく、使用者の意思も確認して、省電力移行を行うことができる。
【０１２４】
Ｃ２．変形例２：
第１実施例では、省電力移行と復帰移行とは、使用者のまぶたの状態に応じた段階的な移行としたが、段階的ではない省電力移行と復帰移行とでもよい。例えば、頭部装着型表示装置１００は、通常動作から、使用者のまぶたの状態に応じて、いきなり電源スイッチ１８をＯＦＦにしてもよいし、いきなりスタンバイモードへと移行してもよいし、いきなり画像生成部２４４、２４６停止してもよい。
【０１２５】
Ｃ３．変形例３：
上記実施例では、検出部１８５は、赤外線センサー５０を用いて、使用者のまぶたの状態を検出するとしたが、他の検出デバイスを用いて検出するとしてもよい。例えば、検出部１８５は、ＣＣＤ等の撮影素子を用いてまぶたの状態を検出してもよい。また、検出部１８５は、耳掛部２１に配置された圧力センサーを用いて、眼の瞬きのときの筋肉の動きを検出することにより、まぶたの状態を検出してもよい。
【０１２６】
上記実施例では、検出部１８５は、使用者のまぶたの状態の検出を赤外線センサー５０を用いて実現しているが、公知の種々の方法で代用可能である。例えば、眼の前方に赤外発光ダイオードとフォトダイオードを置く反射型センサーによる検出方法によっても実現できる。
【０１２７】
Ｃ４．変形例４：
第１実施例における省電力移行の判断基準である、使用者のまぶたが閉じ続けている所定の時間は、あくまで一例であり、任意の値に設定することができる。また、復帰移行の判断の際には、使用者のまぶたが、所定の時間（例えば３秒）開いたときに、復帰移行を行うと判断してもよい。
【０１２８】
Ｃ５．変形例５：
第１実施例では、制御部１０は、操作部１１０の電源スイッチ１８が押下されると、スタンバイモードを解除するが、その他の操作でスタンバイモードを解除してもよい。制御部１０は、操作部１１０の電源スイッチ１８以外のボタンが押下されると、スタンバイモードを解除してもよい。また、操作部１１０に加速度センサーを配置し、制御部１０は、操作部１１０が所定の加速度を検出したとき、スタンバイモードを解除してもよい。
【０１２９】
Ｃ６．変形例６：
上記実施例では、制御部１０は、スタンバイモードのときに、画像処理部１６０と表示制御部１９０と検出制御部１８３と音声処理部１７０との動作を停止するが、これら機能部のすべての動作を停止しなくてもよい。例えば、制御部１０は、画像処理部１６０の動作のみを停止することでも消費電力を小さくすることができる。
【０１３０】
また、上記実施例において、オペレーティングシステム１５０と画像処理部１６０と表示制御部１９０と検出部１８５と音声処理部１７０とは、ＣＰＵ１４０がソフトウェアを実行することにより実現されるとしているが、電子回路といったハードウェアによって実現されるとしてもよい。例えば、画像処理部１６０と表示制御部１９０とが電子回路によって実現される場合に、制御部１０は、画像処理部１６０と表示制御部１９０の動作を停止することで消費電力を小さくすることができる。
【０１３１】
Ｃ７．変形例７：
第２実施例では、検出部１８５が使用者のまぶたの状態を検出するタイミングについて、具体的な時間を例示したが、検出するタイミングはこれに限られない。時間の長短は限定されないし、検出のタイミングの設定についても頭部装着型表示装置１００の使用者ができるものとしてもよい。開始時刻Ｔ０において検出されるまぶたの状態も上記実施例の状態に限られず、第２実施例とは異なるまぶたの状態を検出部１８５が検出することで開始時刻Ｔ０を定めてもよい。例えば、開始時刻Ｔ０は、両まぶたが所定の期間閉じた状態を検出されたときであってもよいし、所定の期間内に所定の回数の瞬きを検出されたときであってもよい。また、操作部１１０が操作を受け付けた時刻を開始時刻Ｔ０としてもよいし、頭部装着型表示装置１００に設けられた加速度センサー等が使用者の頭部の動きを感知したときを開始時刻Ｔ０としてもよい。また、検出部１８５が検出するまぶたの状態についても、上記実施例のまぶたの開閉状態に限られず、ＣＣＤ等によってまぶたの開口面積でまぶたの状態を検出するものとしてもよい。また、まぶたの状態に応じて割り当てられた機能も上記実施例のものに限られず、例えば、音楽のコンテンツの停止や再生といった機能であってもよい。
【０１３２】
また、右まぶた７２と左まぶた７４との開閉状態のパターンについても、上記実施例のパターンに限られない。図９は、変形例における頭部装着型表示装置１００の使用者のまぶたの各パターンに応じた機能の一例を示す説明図である。図９に示すパターンでは、第２実施例における図８に示すパターンと異なり、表示制御部１９０は第１検出時刻Ｔ１における右まぶた７２と左まぶた７４との開閉状態のみのパターンに応じて機能を割り当てている。また、図９に示すパターンでは、同じパターンでも使用者が視聴しているコンテンツによって割り当てられる機能が異なる。例えば、パターンＰ２１に割り当てられた機能は、使用者がブラウザーを見ている場合には「戻る」の動作を行い、使用者が動画を再生している場合には「次のチャプターへ進む」の動作を行う。そのため、この変形例における頭部装着型表示装置１００では、使用者は手を使うことなく操作が可能であり、利便性を向上させることができる。なお、図９に示すパターンＰ２４は両まぶたが開いた通常の状態であるため、パターンＰ２４には機能を割り当てていない。
【０１３３】
図１０は、変形例における頭部装着型表示装置１００の使用者のまぶたの状態に応じた入力データーの一例を示す説明図である。図１０（ａ）には、まぶたのパターンに応じた入力データーの一例を示している。図１０（ｂ）には、両まぶたの開閉状態とパターンとの関係を示している。図１０では、表示制御部１９０がまぶたの開閉状態のパターンを入力データーに変換している。図１０（ａ）に示すように、右まぶた７２の開閉状態で入力するアドレスを指定して、左まぶた７４の開閉状態で入力する入力データーを指定する。例えば、この変形例における頭部装着型表示装置１００では、検出部１８５は、開始時刻Ｔ０から０．５秒ごとに右まぶた７２と左まぶた７４とのまぶたの開閉状態を交互に４回ずつ検出する。図１０（ｂ）に示すように、変形例における各まぶたのパターンは、２進法で表現できて１６通り存在する。図１０（ａ）に示すように、右まぶた７２の開閉状態の組み合わせによって指定されるアドレスは１６進法の「６」であり、左まぶた７４の開閉状態の組み合わせによる入力データーは「Ｆ」である。表示制御部１９０は、「６」に対応したアドレスに「Ｆ」に対応した入力データーを入力する。そのため、この変形例における頭部装着型表示装置１００では、使用者は手を使うことなく入力データーの入力が可能となり、利便性を向上させることができる。なお、入力データーおよび指定するアドレスは、本発明の入力情報に相当する。また、本発明のまぶたの状態に応じた指示には、アドレスの指定と入力データーの入力が含まれる。
【０１３４】
また、第２実施例において、表示制御部１９０は、検出したまぶたの開閉状態のパターンに応じて割り当てられた機能を実行するが、まぶたのパターンに加えて制御部１０に設けられた操作部１１０（タッチパッド１４、十字キー１６、電源スイッチ１８等）が受け付けた操作との組み合わせに従って制御信号に変換してもよい。例えば、検出部１８５が制御部１０の十字キー１６を押下しているときのみにまぶたの状態を検出する設定にすると、開始時刻Ｔ０、第１検出時刻Ｔ１、第２検出時刻Ｔ２のタイミングを使用者が自由に決定できるので、まぶたの状態の誤検出を回避することができる。また、まぶたのパターンのみで割り当てられる機能よりも、まぶたのパターンと操作との組み合わせでは、より多くの機能を割り当てることができる。
【０１３５】
また、表示制御部１９０は、まぶたのパターンに加えて制御部１０に接続されて頭部装着型表示装置１００等に設けられた加速度センサー等で感知した使用者の頭部の動きとの組み合わせに従って制御信号に変換してもよい。この変形例の頭部装着型表示装置１００では、使用者は手を使うことなく操作が可能であり、かつ、検出のタイミングを使用者が自由に決定できるので、まぶたの状態の誤検出を回避することができ、より多くの機能を割り当てることができる。また、さらに操作部１１０が受け付けた操作と組み合わせて制御信号に変換してもよい。なお、変形例における頭部装着型表示装置１００の制御信号は、本発明の入力情報に相当する。
【０１３６】
また、第２実施例において、検出部１８５は、第１検出時刻Ｔ１および第２検出時刻Ｔ２における各まぶたの開閉状態を検出しているが、まぶたの検出の条件はこれに限られない。例えば、第２実施例の頭部装着型表示装置１００において、検出部１８５が開始時刻Ｔ０から第２検出時刻Ｔ２までの区間にまぶたの開閉回数を検出して、表示制御部１９０がその回数に応じたパターンに割り当てられた機能を実行してもよい。この変形例の頭部装着型表示装置１００では、検出部１８５が検出した所定の時間におけるまぶたの開閉回数によって、表示制御部１９０がパターンに割り当てられた機能を実行するので、使用者は簡単なまぶたの状態変化によって動作を行うことができ、利便性を向上させることができる。
【０１３７】
また、第２実施例において、表示制御部１９０は、右まぶた７２と左まぶた７４との開閉状態のパターンに応じて割り当てられた機能を実行しているが、右まぶた７２のみ、または、左まぶた７４のみの開閉状態に応じて機能を実行してもよい。また、第２実施例では、検出部１８５がまぶたの状態を検出するタイミングを時間との関係に基づくとしたが、そうでなくてもよい。例えば、表示制御部１９０は、音によって検出部１８５がまぶたの状態を検出するタイミングを使用者に報知してもよい。また、表示制御部１９０は、画像表示部２０に表示される画像、例えば、画像表示部２０にまぶたの状態を検出までのカウントを表示する等により、使用者にまぶたの状態を検出するタイミングを報知してもよいし、同時に検出したパターンを画像表示部２０に表示させてもよい。
【０１３８】
Ｃ８．変形例８：
また、上記実施例において、制御部１０に設けられた十字キー１６を省略したり、十字キー１６やタッチパッド１４に加えて操作用スティック等の他の操作用インターフェイスを設けたりしてもよい。また、制御部１０は、キーボードやマウス等の入力デバイスを接続可能な構成であり、キーボードやマウスから入力を受け付けるものとしてもよい。また、制御部１０に無線ＬＡＮ等の通信部を設けてもよい。
【０１３９】
また、上記実施例では、制御部１０と画像表示部２０とが接続部４０により有線接続されるとしているが、制御部１０と画像表示部２０とが、無線ＬＡＮや赤外線通信、Bluetooth（ブルートゥース：登録商標）等の信号伝送路を介して接続されるとしてもよい。
【０１４０】
上記実施例では、画像表示部２０が眼鏡のように装着するＨＭＤであるとしているが、画像表示部２０が通常の平面型ディスプレイ装置（液晶ディスプレイ装置、プラズマディスプレイ装置、有機エレクトロルミネッセンス（Electro-Luminescence：ＥＬ）ディスプレイ装置等）であるとしてもよい。この場合にも、制御部１０と画像表示部２０との間の接続は、有線の信号伝送路を介した接続であってもよいし、無線の信号伝送路を介した接続であってもよい。このようにすれば、制御部１０を、通常の平面型ディスプレイ装置のリモコンとして利用することができる。
【０１４１】
また、画像表示部として、眼鏡のように装着する画像表示部２０に代えて、例えば帽子のように装着する画像表示部といった他の形状の画像表示部を採用してもよい。また、イヤホン３２，３４は省略してもよい。
【０１４２】
また、上記実施例では、画像光を生成する構成として、ＬＣＤと光源とを利用しているが、これらに代えて、有機ＥＬディスプレイといった他の表示素子を採用してもよい。
【０１４３】
また、上記実施例では、頭部装着型表示装置１００は、両眼タイプの光学透過型頭部装着型表示装置であるとしているが、本発明は、例えばビデオ透過型や非透過型、単眼タイプといった他の形式の頭部装着型表示装置にも同様に適用可能である。さらに、本発明は、頭部装着型表示装置に限らず、パーソナルコンピューターやプロジェクター、テレビといった装置の操作にも適用可能である。
【０１４４】
また、上記実施例では、頭部装着型表示装置１００が制御部１０と画像表示部２０とを備える構成としているが、この構成に限られない。頭部装着型表示装置１００以外の装置（例えば、携帯端末、工場などの機械操作部、医療用端末、オシロスコープ等の測定器、投写型画像表示装置、パーソナルコンピューターのモニター、テレビ等）であっても、制御部１０は、検出部１８５が検出したまぶたの状態に応じて指示を行うことで、使用者は手を使うことなく操作が可能となり、利便性を向上させることができる。
【０１４５】
また、検出指示装置、状態検出制御装置、まぶた検知制御装置等の装置でも、制御部が検出した使用者のまぶたの状態に応じた指示を行い、使用者は手を使うことなく操作が可能となり、利便性を向上させることができる。例えば、装置のリモコンにおいて、操作のロックをまぶたの開閉におけるオン／オフ制御を行う設定とすることもできる。また、コンピューターのマウスポインターにおいて、所定の時間内における両眼の瞬き２回をマウスのダブルクリックと同じ指示を行う制御とすることもできるし、右まぶただけ閉じているときにマウスポインターが所定の速度で右に移動する制御とすることもできる。
【０１４６】
また、上記実施例において、ハードウェアによって実現されていた構成の一部をソフトウェアに置き換えるようにしてもよく、逆に、ソフトウェアによって実現されていた構成の一部をハードウェアに置き換えるようにしてもよい。例えば、上記実施例では、画像処理部１６０や音声処理部１７０は、ＣＰＵ１４０がコンピュータープログラムを読み出して実行することにより実現されるとしているが、これらの機能部はハードウェア回路により実現されるとしてもよい。
【０１４７】
また、本発明の機能の一部または全部がソフトウェアで実現される場合には、そのソフトウェア（コンピュータープログラム）は、コンピューター読み取り可能な記録媒体に格納された形で提供することができる。この発明において、「コンピューター読み取り可能な記録媒体」とは、フレキシブルディスクやＣＤ−ＲＯＭのような携帯型の記録媒体に限らず、各種のＲＡＭやＲＯＭ等のコンピューター内の内部記憶装置や、ハードディスク等のコンピューターに固定されている外部記憶装置も含んでいる。
【０１４８】
Ｃ９．変形例９：
上記実施例において、頭部装着型表示装置１００は、使用者の左右の眼に同じ画像を表す画像光を導いて使用者に二次元画像を視認させるとしてもよいし、使用者の左右の眼に異なる画像を表す画像光を導いて使用者に三次元画像を視認させるとしてもよい。
【０１４９】
また、上記実施例では、外部機器ＯＡからコンテンツデーターが供給されるとしているが、頭部装着型表示装置１００の制御部１０の記憶部１２０にコンテンツデーターが格納され、記憶部１２０に格納されたコンテンツデーターに基づき画像表示が行われるとしてもよい。
【０１５０】
また、上述した実施形態における構成要素のうち、独立請求項に記載された要素以外の要素は、付加的な要素であり、適宜省略、または、組み合わせが可能である。
【符号の説明】
【０１５１】
１０…制御部
１２…点灯部
１４…タッチパッド
１６…十字キー
１８…電源スイッチ
２０…画像表示部
２１…耳掛部
２２…右表示駆動部
２４…左表示駆動部
２６…右光学パネル（光学パネル）
２８…左光学パネル（光学パネル）
３２…右イヤホン（イヤホン）
３４…左イヤホン（イヤホン）
４０…接続部
４２…右ケーブル
４４…左ケーブル
４６…連結部
４８…本ケーブル
５０…赤外線センサー
５１…赤外線発光部
５２…右赤外線発光部
５４…左赤外線発光部
５６…赤外線受光部
６２…右眼
６４…左眼
７２…右まぶた
７４…左まぶた
１００…頭部装着型表示装置
１１０…操作部
１２０…記憶部
１３０…電源
１４０…ＣＰＵ
１５０…オペレーティングシステム
１６０…画像処理部
１７０…音声処理部
１８０…インターフェイス
１８３…検出制御部
１８５…検出部
１９０…表示制御部
２０１…右光源制御部（光源制御部）
２０２…左光源制御部（光源制御部）
２１１…右ＬＣＤ制御部
２１２…左ＬＣＤ制御部
２２１…右光源（光源）
２２２…左光源（光源）
２４１…右ＬＣＤ
２４２…左ＬＣＤ
２４４…右眼用画像生成部（画像生成部）
２４６…左眼用画像生成部（画像生成部）
２５１…右投写光学系（導光部）
２５２…左投写光学系（導光部）
２６１…右導光板（導光部）
２６２…左導光板（導光部）
Ｔ０…開始時刻
Ｔ１…第１検出時刻
Ｔ２…第２検出時刻
ＥＳ１…検出開閉信号
ＥＳ２…解釈開閉信号
Ｔｔｈ…閾値
【図１】
0005953714.tif 000002
【図２】
0005953714.tif 000003
【図３】
0005953714.tif 000004
【図４】
0005953714.tif 000005
【図５】
0005953714.tif 000006
【図６】
0005953714.tif 000007
【図７】
0005953714.tif 000008
【図８】
0005953714.tif 000009
【図９】
0005953714.tif 000010
【図１０】
0005953714.tif 000011